(57)【要約】  本発明は、ＣＵ／ＤＵ分離のシナリオでＰＤＣＰ複製（ｄｕｐｌｉｃａｔｉｏｎ）を実施するソリューションはないという従来技術の問題を解決するために、複製送信の方法および装置を提供する。本発明の実施形態ＣＵは、ＰＤＣＰ複製送信を無線ベアラで実行する必要があると判断した後、ＤＵに前記無線ベアラ上で送信されるＰＤＣＰデータパケットを送信し、前記ＤＵにＰＤＣＰ複製送信を実行するよう指示するステップと、ＤＵは、ＰＤＣＰ複製送信のために、前記ＰＤＣＰデータパケットを前記無線ベアラに対応する複数のＲＬＣエンティティに送信するステップとを備える。ＣＵが、前記ＤＵがＰＤＣＰ複製送信を実行することを指示することにより、ＣＵ/ＤＵ分離のシナリオでＰＤＣＰデータパケットのｄｕｐｌｉｃａｔｉｏｎ送信を実現し、システム性能をさらに向上させることができる。
2020535756.tif 000002
【特許請求の範囲】
【請求項１】
中央ユニット（ＣＵ）は、無線ベアラ上でパケットデータ収束プロトコル（ＰＤＣＰ）複製送信を実行する必要があると決定するステップと、
前記ＣＵは、分散ユニット（ＤＵ）に前記無線ベアラ上で送信されるＰＤＣＰデータパケットを送信し、前記ＤＵにＰＤＣＰ複製送信を実行するよう指示するステップとを備えることを特徴とする複製送信の方法。
【請求項２】
前記ＣＵが、ＤＵに前記無線ベアラ上で送信されるＰＤＣＰデータパケットを送信し、前記ＤＵにＰＤＣＰ複製送信を実行するよう指示する場合、
前記無線ベアラがシグナリング無線ベアラ（ＳＲＢ）であれば、前記ＣＵは、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示し、または、
前記無線ベアラがデータ無線ベアラ（ＤＲＢ）であれば、前記ＣＵは、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示することを特徴とする請求項１に記載の複製送信の方法。
【請求項３】
前記ＣＵが、ＤＵに前記無線ベアラ上で送信されるＰＤＣＰデータパケットを送信し、前記ＤＵにＰＤＣＰ複製送信を実行するよう指示する前に、
前記ＣＵは、端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知することを特徴とする請求項１に記載の複製送信の方法。
【請求項４】
前記ＣＵが、Ｆ１インターフェイスメッセージにより、前記無線ベアラがＰＤＣＰ複製送信をサポートすることを前記ＤＵに通知する場合、
前記ＣＵは、端末（ＵＥ）のベアラ確立プロセスまたはＵＥベアラ更新プロセスにおいて、Ｆ１インターフェイスメッセージにより、前記無線ベアラがＰＤＣＰ複製送信をサポートすることを前記ＤＵに通知することを特徴とする請求項３に記載の複製送信の方法。
【請求項５】
ＤＵは、ＣＵによって送信された、無線ベアラ上で送信される必要があるＰＤＣＰデータパケット、およびＰＤＣＰ複製送信の実行を指示するための情報を受信するステップと、
前記ＤＵは、前記ＰＤＣＰデータパケットを、ＰＤＣＰ複製送信のために、前記無線ベアラに対応する複数の無線リンクレイヤー制御（ＲＬＣ）エンティティに送信するステップとを備えることを特徴とする複製送信の方法。
【請求項６】
前記ＤＵが、ＣＵによって送信された、無線ベアラ上で送信される必要があるＰＤＣＰデータパケット、および前記ＤＵがＰＤＣＰ複製送信を実行することを指示するための情報を受信する場合、
前記無線ベアラがＳＲＢであれば、前記ＤＵは、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、前記ＤＵは、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定することを特徴とする請求項５に記載の複製送信の方法。
【請求項７】
前記ＤＵが、ＣＵによって送信された、無線ベアラ上で送信される必要があるＰＤＣＰデータパケット、および前記ＤＵがＰＤＣＰ複製送信を実行することを指示するための情報を受信する前、
前記ＤＵは、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立することを特徴とする請求項５に記載の複製送信の方法。
【請求項８】
前記ＤＵがＦ１インターフェイスメッセージによって前記ＣＵの無線ベアラがＰＤＣＰ複製送信をサポートしているという通知を受信した後、
前記無線ベアラがＤＲＢであれば、前記ＤＵは、各論理チャネルに異なるトランスポートネットワークレイヤーアドレス（ＴＮＬ）アドレスを割り当てることを特徴とする請求項７に記載の複製送信の方法。
【請求項９】
プロセッサと、メモリと、送受信機とを備え、メモリは、プロセッサが動作する際に利用するデータを記憶するように構成され、送受信機は、プロセッサの制御下でデータを送受信するように構成され、
ここで、プロセッサは、メモリ内のプログラムを読み取り、実行するように構成され、
無線ベアラ上でＰＤＣＰ複製送信を実行する必要があると決定し、ＤＵに前記無線ベアラ上で送信されるＰＤＣＰデータパケットを送信し、前記ＤＵにＰＤＣＰ複製送信を実行するよう指示することを特徴とする複製送信の装置。
【請求項１０】
前記プロセッサは、
前記無線ベアラがＳＲＢであれば、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示し、または、
前記無線ベアラがＤＲＢであれば、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示することを特徴とする請求項９に記載の複製送信の装置。
【請求項１１】
前記プロセッサは、さらに、
端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知し、
ＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知することを特徴とする請求項９に記載の複製送信の装置。
【請求項１２】
プロセッサと、メモリと、送受信機とを備え、メモリは、プロセッサが動作する際に利用するデータを記憶するように構成され、送受信機は、プロセッサの制御下でデータを送受信するように構成され、
ここで、プロセッサは、メモリ内のプログラムを読み取り、実行するように構成され、
ＣＵによって送信された、無線ベアラ上で送信される必要があるＰＤＣＰデータパケット、およびＰＤＣＰ複製送信の実行を指示するための情報を受信し、ＰＤＣＰ複製送信のために、前記ＰＤＣＰデータパケットを前記無線ベアラに対応する複数のＲＬＣエンティティに送信することを特徴とする複製送信の装置。
【請求項１３】
前記プロセッサは、
前記無線ベアラがＳＲＢであれば、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定することを特徴とする請求項１２に記載の複製送信の装置。
【請求項１４】
前記プロセッサは、さらに、
Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立し、
Ｆ１インターフェイスメッセージによって前記ＣＵの無線ベアラがＰＤＣＰ複製送信をサポートしているという通知を受信した後、前記無線ベアラがＤＲＢであれば、各論理チャネルに異なるＴＮＬアドレスを割り当てることを特徴とする請求項１２に記載の複製送信の装置。
【請求項１５】
無線ベアラ上でＰＤＣＰ複製送信を実行する必要があると決定するように構成されたモジュールと、
ＤＵに前記無線ベアラ上で送信されるＰＤＣＰデータパケットを送信し、前記ＤＵにＰＤＣＰ複製送信を実行するよう指示するように構成された通知モジュールとを備えることを特徴とする複製送信の装置。
【請求項１６】
ＣＵによって送信された、無線ベアラ上で送信される必要があるＰＤＣＰデータパケット、およびＰＤＣＰ複製送信の実行を指示するための情報を受信するように構成された受信モジュールと、
ＰＤＣＰ複製送信のために、前記ＰＤＣＰデータパケットを前記無線ベアラに対応する複数のＲＬＣエンティティに送信するように構成された処理モジュールとを備えることを特徴とする複製送信の装置。
【請求項１７】
コンピュータプログラムを記憶するコンピュータ可読記憶媒体であって、プロセッサによって実行されると、前記プログラムは請求項１ないし請求項４のいずれか１項の方法のステップまたは請求項５ないし請求項８のいずれか１項の方法のステップを実施することを特徴とするコンピュータ可読記憶媒体。
【発明の詳細な説明】
【技術分野】
【０００１】
［関連出願の相互参照］
本出願は、２０１７年９月２７日に中国特許局に提出し、出願番号が２０１７１０８９０３１０．９であり、発明名称が「複製送信の方法および装置」との中国特許出願を基礎とする優先権を主張し、その開示の総てをここに取り込む。
【０００２】
［技術分野］
本発明は、通信技術分野に関し、特に複製送信の方法および装置に関する。
【背景技術】
【０００３】
ＬＴＥ（Ｌｏｎｇ Ｔｅｒｍ Ｅｖｏｌｕｔｉｏｎ）システムでは、Ｅ−ＵＴＲＡＮ（Ｅｖｏｌｕｔｉｏｎ− Ｕｎｉｖｅｒｓａｌ Ｔｅｒｒｅｓｔｒｉａｌ ｒａｄｉｏ Ａｃｃｅｓｓ Ｎｅｔｗｏｒｋ，進化−ユニバーサル地上無線アクセスネットワーク）は、複数のｅＮｏｄｅＢ（進化した基地局）で構成される。ｅＮｏｄｅＢおよびＥＰＣ（Ｅｖｏｌｖｅｄ Ｐａｃｋｅｔ Ｃｏｒｅ，進化したパケットコア）は、それらの間にＳ１インターフェイスを介して接続される。
【０００４】
５Ｇシステムでは、集中制御およびスケジューリングのためのＣＵ（ｃｅｎｔｒａｌ ｕｎｉｔ，中央ユニット）の導入が検討されている。ＲＲＣ（ｒａｄｉｏ Ｒｅｓｏｕｒｃｅ Ｃｏｎｔｒｏｌ，無線リソース制御）機能およびレイヤー２または/およびレイヤー１の一部の機能は当該ＣＵに配備され、基地局の他の機能はＤＵ（ｄｉｓｔｒｉｂｕｔｅ ｕｎｉｔ，分散ユニット）に配備される。基地局とコアネットワーク間のインターフェイス（ＮＧ）はＣＵで中止し、基地局間のインターフェイス（Ｘｎ）もＣＵで中止する。
【０００５】
ＲＡＮ（ｒａｄｉｏ Ａｃｃｅｓｓ Ｎｅｔｗｏｒｋ，無線アクセスネットワーク）側のＣＵ／ＤＵ分離モードは、高レイヤー分離と低レイヤー分離に分けられ、高レイヤー分離スキームは、ＲＲＣおよびＰＤＣＰ（Ｐａｃｋｅｔ Ｄａｔａ Ｃｏｎｖｅｒｇｅｎｃｅ Ｐｒｏｔｏｃｏｌ，パケットデータ収束プロトコル）はＣＵで展開される。また、ＤＵにはＲＬＣ（Ｒａｄｉｏ Ｌｉｎｋ Ｃｏｎｔｒｏｌ，無線リンク制御）、ＭＡＣ（Ｍｅｄｉｕｍ Ａｃｃｅｓｓ Ｃｏｎｔｒｏｌ，メディアアクセス制御）、物理層、およびＲＦ（ｒａｄｉｏ Ｆｒｅｑｕｅｎｃｙ，無線周波数）が展開される。
【０００６】
信頼性のあるデータ送信をサポートするために、ＣＡベースのＰＤＣＰ複製（ｄｕｐｌｉｃａｔｉｏｎ）送信がＮＲ（Ｎｅｗ ｒａｄｉｏ，新しい無線）に導入され、１つのＰＤＣＰデータパケットが同じノード下の２つのＲＬＣエンティティに送信される。
【発明の概要】
【発明が解決しようとする課題】
【０００７】
ＰＤＣＰおよびＲＬＣが同じノードに位置するシナリオの場合、ＰＤＣＰレイヤーとＲＬＣレイヤーとの間のデータ転送は内部で実施される。ただし、ＣＵ/ＤＵ分離のシナリオでは、ＰＤＣＰの複製（ｄｕｐｌｉｃａｔｉｏｎ）の実施方法に関する明確なソリューションはまだ存在しない。
【０００８】
上記を考慮して、ＣＵ／ＤＵ分離のシナリオでＰＤＣＰ複製（ｄｕｐｌｉｃａｔｉｏｎ）を実施するソリューションはない。
【０００９】
本発明は、ＣＵ／ＤＵ分離のシナリオでＰＤＣＰ複製（ｄｕｐｌｉｃａｔｉｏｎ）を実施するソリューションはないという従来技術の問題を解決するために、複製送信の方法および装置を提供する。
【課題を解決するための手段】
【００１０】
本発明の実施形態に係る複製送信の方法は、
ＣＵは、無線ベアラ上でパケットデータ収束プロトコル（ＰＤＣＰ）複製送信を実行する必要があると決定するステップと、
前記ＣＵは、ＤＵに前記無線ベアラ上で送信されるＰＤＣＰデータパケットを送信し、前記ＤＵにＰＤＣＰ複製送信を実行するよう指示するステップとを備える。
【００１１】
本発明の実施形態に係る他の複製送信の方法は、
ＤＵは、ＣＵによって送信された、無線ベアラ上で送信される必要があるＰＤＣＰデータパケット、およびＰＤＣＰ複製送信の実行を指示するための情報を受信するステップと、
前記ＤＵは、前記ＰＤＣＰデータパケットを、ＰＤＣＰ複製送信のために、前記無線ベアラに対応する複数の無線リンクレイヤー制御（ＲＬＣ）エンティティに送信するステップとを備える。
【００１２】
本発明の実施形態に係る複製送信の装置は、プロセッサと、メモリと、送受信機とを備え、メモリは、プロセッサが動作する際に利用するデータを記憶するように構成され、送受信機は、プロセッサの制御下でデータを送受信するように構成され、
ここで、プロセッサは、メモリ内のプログラムを読み取り、実行するように構成され、
無線ベアラ上でＰＤＣＰ複製送信を実行する必要があると決定し、ＤＵに前記無線ベアラ上で送信されるＰＤＣＰデータパケットを送信し、前記ＤＵにＰＤＣＰ複製送信を実行するよう指示する。
【００１３】
本発明の実施形態に係る他の複製送信の装置は、プロセッサと、メモリと、送受信機とを備え、メモリは、プロセッサが動作する際に利用するデータを記憶するように構成され、送受信機は、プロセッサの制御下でデータを送受信するように構成され、
ここで、プロセッサは、メモリ内のプログラムを読み取り、実行するように構成され、
ＣＵによって送信された、無線ベアラ上で送信される必要があるＰＤＣＰデータパケット、およびＰＤＣＰ複製送信の実行を指示するための情報を受信し、ＰＤＣＰ複製送信のために、前記ＰＤＣＰデータパケットを前記無線ベアラに対応する複数のＲＬＣエンティティに送信する。
【００１４】
本発明の実施形態に係る複製送信の装置は、
無線ベアラ上でＰＤＣＰ複製送信を実行する必要があると決定するように構成されたモジュールと、
ＤＵに前記無線ベアラ上で送信されるＰＤＣＰデータパケットを送信し、前記ＤＵにＰＤＣＰ複製送信を実行するよう指示するするように構成された通知モジュールとを備える。
【００１５】
本発明の実施形態に係る複製送信の装置は、
ＣＵによって送信された、無線ベアラ上で送信される必要があるＰＤＣＰデータパケット、およびＰＤＣＰ複製送信の実行を指示するための情報を受信するように構成された受信モジュールと、
ＰＤＣＰ複製送信のために、前記ＰＤＣＰデータパケットを前記無線ベアラに対応する複数のＲＬＣエンティティに送信するように構成された処理モジュールとを備える。
【００１６】
本発明の実施形態は、コンピュータプログラムを記憶するコンピュータ可読記憶媒体を提供し、プロセッサによって実行されると、前記プログラムは本発明の実施形態に係るＣＵに関するステップまたはＤＵに関するステップを実施する。
【発明の効果】
【００１７】
本発明の実施形態ＣＵは、ＰＤＣＰ複製送信を無線ベアラで実行する必要があると判断した後、ＤＵに前記無線ベアラ上で送信されるＰＤＣＰデータパケットを送信し、前記ＤＵにＰＤＣＰ複製送信を実行するよう指示する；ＤＵは、ＰＤＣＰ複製送信のために、前記ＰＤＣＰデータパケットを前記無線ベアラに対応する複数のＲＬＣエンティティに送信する。ＣＵが、前記ＤＵがＰＤＣＰ複製送信を実行することを指示することにより、ＣＵ/ＤＵ分離のシナリオでＰＤＣＰデータパケットのｄｕｐｌｉｃａｔｉｏｎ送信を実現し、システム性能をさらに向上させることができる。
【００１８】
本発明に係る実施例や従来の技術ソリューションをより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００１９】
【図１】本発明の実施形態において複製送信を実行するシステムの構造概略図である。
【図２】本発明の実施形態における第１のＣＵの構造概略図である。
【図３】本発明の実施形態における第１のＤＵの構造概略図である。
【図４】本発明の実施形態における第２のＣＵの構造概略図である。
【図５】本発明の実施形態における第２のＤＵの構造概略図である。
【図６】本発明の実施形態におけるＣＵ側での複製送信の方法のフロー概略図である。
【図７】本発明の実施形態におけるＤＵ側での複製送信の方法のフロー概略図である。
【発明を実施するための形態】
【００２０】
最初に、当業者の理解を容易にするために、本願の実施形態におけるいくつかの用語を説明する。
（１）本願の実施形態では、名詞「ネットワーク」および「システム」がしばしば交互に使用されるが、当業者はその意味を理解することができる。
（２）本願の実施形態における「複数」という用語は、２つ以上を指し、他の数量詞はそれに類似している。
（３）「および／または」は、関連するオブジェクトの関連関係を記述し、例えばＡおよび／またはＢが表すことができる３つの関係があることを示す：Ａのみ、ＡとＢの両方、Ｂのみ。符号「/」は、一般に、関連するオブジェクトに一種の「または」関係があることを示す。
【００２１】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００２２】
図１に示すように、本発明の実施形態による複製送信のシステムは以下のことを含む。
ＣＵ１０は、無線ベアラ上でＰＤＣＰ複製送信を実行する必要があると決定し、ＤＵに前記無線ベアラ上で送信されるＰＤＣＰデータパケットを送信し、前記ＤＵにＰＤＣＰ複製送信を実行するよう指示するように構成される。
【００２３】
ＤＵ２０は、ＣＵによって送信された、無線ベアラ上で送信される必要があるＰＤＣＰデータパケット、およびＰＤＣＰ複製送信の実行を指示するための情報を受信し、ＰＤＣＰ複製送信のために、前記ＰＤＣＰデータパケットを前記無線ベアラに対応する複数のＲＬＣエンティティに送信するように構成される。
【００２４】
本発明の実施形態におけるＣＵは、ＰＤＣＰ複製送信を無線ベアラで実行する必要があると判断した後、ＤＵに前記無線ベアラ上で送信されるＰＤＣＰデータパケットを送信し、前記ＤＵにＰＤＣＰ複製送信を実行するよう指示する；ＤＵは、ＰＤＣＰ複製送信のために、前記ＰＤＣＰデータパケットを前記無線ベアラに対応する複数のＲＬＣエンティティに送信する。ＣＵが、前記ＤＵがＰＤＣＰ複製送信を実行することを指示することにより、ＣＵ/ＤＵ分離のシナリオでＰＤＣＰデータパケットのｄｕｐｌｉｃａｔｉｏｎ送信を実現し、システム性能をさらに向上させることができる。
ここで、ＰＤＣＰデータパケットは、ＰＤＣＰ PＤＵ（Ｐｒｏｔｏｃｏｌ Ｄａｔａ Ｕｎｉｔ，プロトコルデータユニット）であり得る。
【００２５】
本発明の実施形態におけるＰＤＣＰ複製送信は、同じＰＤＣＰデータパケットを複数のＲＬＣエンティティに送信することであり、すなわち、複数のＲＬＣエンティティによって受信されるＰＤＣＰデータパケットは同じであり、それぞれのＲＬＣエンティティは受信したＰＤＣＰデータパケットを送信し、それによりＰＤＣＰ複製送信の効果を実現する。ここで、執行主体は、ＤＵ、ＣＵ、または同様の機能を実施できる別のエンティティである。
【００２６】
本発明の実施形態における無線ベアラは、ＤＲＢ（Ｄａｔａ ｒａｄｉｏ Ｂｅａｒｅｒ，データ無線ベアラ）およびＳＲＢ（Ｓｉｇｎａｌｉｎｇ ｒａｄｉｏ Ｂｅａｒｅｒｓ，シグナリング無線ベアラ）を含む。これらのケースをそれぞれ以下に示す。
【００２７】
第１の方式：無線ベアラはＳＲＢである。
オプションとして、前記ＣＵは、Ｆ１制御プレーンによりＤＵに前記ＳＲＢ上で伝送されるＰＤＣＰデータパケットを送信し、対応するＦ１インターフェイスメッセージのＩＥ（Ｉｎｆｏｒｍａｔｉｏｎ Ｅｌｅｍｅｎｔ，情報要素）で前記ＤＵがＰＤＣＰ複製送信を実行することを指示する。
【００２８】
それに対応して、前記ＤＵは、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定する。
【００２９】
一実施形態では、ＤＵは、Ｆ１制御プレーンにより前記ＣＵによって送信された、無線ベアラ上で送信される必要があるＰＤＣＰデータパケットを受信した後、Ｆ１制御プレーンに対応するＦ１インターフェイスメッセージのＩＥから、ＰＤＣＰ複製送信の実行を指示するための情報があるかどうかを検索する。「有」であれば、受信したＰＤＣＰデータパケットには、ＰＤＣＰ複製送信が必要であると判断される。「無」であれば、ＰＤＣＰ複製送信が必要であると判断される。そうでない場合、受信したＰＤＣＰデータパケットにはＰＤＣＰ複製送信が必要ないと判断される。
【００３０】
ＰＤＣＰ複製送信の実行を指示するための情報は、１ビットによって表されてもよく、例えば、１はＰＤＣＰ複製送信を実行する必要があることを示し、０はＰＤＣＰ複製を実行する必要がないことを示す。
【００３１】
０を使用してＰＤＣＰ複製送信を実行する必要がないことを示すのではなく、ＩＥにＰＤＣＰ複製送信の実行を指示するための情報があるかどうかに従って判断することも可能である。ＩＥにＰＤＣＰ複製送信の実行を指示するための情報がない場合、ＰＤＣＰ複製送信を実行する必要はないと判断される。
【００３２】
ここで、Ｆ１制御プレーンに対応するＦ１インターフェイスメッセージは、ＰＤＣＰ複製送信の実行を指示するための情報を送信できる任意のメッセージであり得る。たとえば、ＤＬ ＲＲＣ ＭＥＳＳＡＧＥ ＴＲＡＮＳＦＥＲ（ダウンリンク無線リソース制御情報伝送）メッセージ等であり得る。
【００３３】
第２の方式：無線ベアラはＤＲＢである。
オプションとして、前記ＣＵは、Ｆ１ユーザープレーンにより、ＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示する。
【００３４】
それに対応して、前記ＤＵは、Ｆ１ユーザープレーンにより前記ＣＵによって送信された、無線ベアラ上で送信される必要があるＰＤＣＰデータパケットを受信する。対応するユーザープレーンデータパケットヘッダにおいてＰＤＣＰ複製送信の実行を指示するための情報を決定する。
【００３５】
一実施形態では、ＤＵは、Ｆ１ユーザープレーンにより前記ＣＵによって送信された、無線ベアラ上で送信される必要があるＰＤＣＰデータパケットを受信した後、Ｆ１ユーザープレーンに対応するユーザープレーンデータパケットヘッダにおいて、ＰＤＣＰ複製送信の実行を指示するための情報があるかどうかを検索する。「有」であれば、受信したＰＤＣＰデータパケットには、ＰＤＣＰ複製送信が必要であると判断される。「無」であれば、ＰＤＣＰ複製送信が必要であると判断される。そうでない場合、受信したＰＤＣＰデータパケットにはＰＤＣＰ複製送信が必要ないと判断される。
【００３６】
ＰＤＣＰ複製送信の実行を指示するための情報は、１ビットによって表されてもよく、例えば、１はＰＤＣＰ複製送信を実行する必要があることを示し、０はＰＤＣＰ複製を実行する必要がないことを示す。
【００３７】
０を使用してＰＤＣＰ複製送信を実行する必要がないことを示すのではなく、ユーザープレーンデータパケットヘッダにＰＤＣＰ複製送信の実行を指示するための情報があるかどうかによって判断することも可能である。ユーザープレーンデータパケットヘッダにＰＤＣＰ複製送信の実行を指示するための情報がない場合、ＰＤＣＰ複製送信を実行する必要はないと判断される。
【００３８】
オプションとして、前記ＣＵは、前記ＤＵがＰＤＣＰ複製送信を実行することを指示する前に、送信構成を実行するようにＤＵに通知する必要もある。
【００３９】
具体的には、前記ＣＵは、端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知する。
【００４０】
それに対応して、前記ＤＵは、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立する。
【００４１】
一実施形態では、端末は、端末の無線ベアラが、ＵＥの能力、ネットワーク状態、および他の情報に従って、ＣＡ（キャリアアグリゲーション）ベースのＰＤＣＰ複製送信をサポートできるかどうかを判断することができる。
【００４２】
無線ベアラがＤＲＢまたはＳＲＢである場合、これらのケースをそれぞれ以下に説明する。
【００４３】
第１の方式：無線ベアラはＳＲＢである。
具体的には、前記ＣＵは、ＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知する。
【００４４】
それに対応して、前記ＤＵは、ＵＥベアラ確立プロセスまたはＵＥベアラ更新プロセス中に、Ｆ１インターフェイスメッセージにより、前記無線ベアラがＰＤＣＰ複製送信をサポートするという通知を受信した後、前記無線ベアラのためにＰＤＣＰ複製送信で使用される複数のＲＬＣエンティティおよび論理チャネルを確立する。
【００４５】
ここで、Ｆ１インターフェイスメッセージは、前記無線ベアラがＰＤＣＰ複製送信をサポートすることを前記ＤＵに通知することができる任意のメッセージであり得る。たとえば、ＤＬ ＲＲＣ ＭＥＳＳＡＧＥ ＴＲＡＮＳＦＥＲメッセージなど。
【００４６】
ＭＡＣレイヤーは、論理チャネルから送信チャネルへのマッピングを担当する。
複製送信がない場合、１つのＤＲＢＢは、１つのＲＬＣエンティティと１つの論理チャネルに対応する。
【００４７】
ｄｕｐｌｉｃａｔｉｏｎ（複製送信）が存在する場合、１つのＤＲＢは、複数のＲＬＣエンティティと複数の論理チャネルに対応する。
【００４８】
複製送信を実行する必要がある場合、ＤＵは、ＰＤＣＰデータパケットそれぞれを無線ベアラに対応する各ＲＬＣエンティティに送信し、各ＲＬＣエンティティはＰＤＣＰデータパケットを受信した後にＰＤＣＰデータパケットを送信し、それにより複製送信を実施する。
【００４９】
第２の方式：無線ベアラはＤＲＢである。
具体的には、前記ＣＵは、ＵＥベアラ確立プロセスまたはＵＥベアラ更新（Ｍｏｄｉｆｙ）プロセス中に、Ｆ１インターフェイスメッセージにより、前記無線ベアラがＰＤＣＰ複製送信をサポートすることを前記ＤＵに通知する。
【００５０】
それに対応して、前記ＤＵＵＥベアラ確立プロセスまたはＵＥベアラ更新プロセス中に、Ｆ１インターフェイスメッセージにより、前記無線ベアラがＰＤＣＰ複製送信をサポートするという通知を受信した後、前記無線ベアラのためにＰＤＣＰ複製送信で使用される複数のＲＬＣエンティティおよび論理チャネルを確立する。
【００５１】
ここで、Ｆ１インターフェイスメッセージは、ＰＤＣＰ複製送信の実行を指示するための情報を送信することができる任意のメッセージであり得る。たとえば、ＤＬ ＲＲＣ ＭＥＳＳＡＧＥ ＴＲＡＮＳＦＥＲメッセージであり得る。
【００５２】
ＭＡＣレイヤーは、論理チャネルから送信チャネルへのマッピングを担当する。
複製送信がない場合、１つのＤＲＢＢは、１つのＲＬＣエンティティと１つの論理チャネルに対応する。
複製送信がある場合、１つのＤＲＢは、複数のＲＬＣエンティティと複数の論理チャネルに対応する。
【００５３】
複製送信を実行する必要がある場合、ＤＵは、ＰＤＣＰデータパケットそれぞれを無線ベアラに対応する各ＲＬＣエンティティに送信し、各ＲＬＣエンティティはＰＤＣＰデータパケットを受信した後にＰＤＣＰデータパケットを送信し、それにより複製送信を実施する。
【００５４】
ここで、本発明の実施形態における端末は、ユーザ機器（ｕｓｅｒ ｅｑｕｉｐｍｅｎｔ，ＵＥ）、モバイルステーション（ｍｏｂｉｌｅ ｓｔａｔｉｏｎ，ＭＳ）、モバイル端末（ｍｏｂｉｌｅ ｔｅｒｍｉｎａｌ，ＭＴ）などとも呼ばれ、音声および／またはデータ接続性を提供するためのデバイスである。現在、端末のいくつかの例は、携帯電話、タブレット、ラップトップ、パームトップコンピューター、モバイルインターネットデバイス（ｍｏｂｉｌｅ ｉｎｔｅｒｎｅｔ ｄｅｖｉｃｅ，ＭＩD）、ウェアラブルデバイス、バーチャルリアリティ（ｖｉｒｔｕａｌ ｒｅａｌｉｔｙ，ＶＲ）デバイス、拡張現実（ａｕｇｍｅｎｔｅｄ ｒｅａｌｉｔｙ，ＡＲ）機器、産業用制御の無線端末、自動運転の無線端末、遠隔医療手術（ｒｅｍｏｔｅ ｍｅｄｉｃａｌ ｓｕｒｇｅｒｙ）の無線端末、スマートグリッド（ｓｍａｒｔ ｇｒｉｄ）の無線端末、交通安全（ｔｒａｎｓｐｏｒｔａｔｉｏｎ ｓａｆｅｔｙ）の無線端末、スマートシティ（ｓｍａｒｔ ｃｉｔｙ）の無線端末、スマートホーム（ｓｍａｒｔ ｈｏｍｅ）の無線端末などがあり得る。
【００５５】
図２に示すように、本発明の一実施形態における第１のＣＵは、プロセッサ２００、メモリ２０１、送受信機２０２、およびバスインターフェースを備える。
【００５６】
プロセッサ２００は、バスアーキテクチャ及び通常の処理を管理し、メモリ２０１はプロセッサ２００が動作する際に利用するデータを記憶することができる。送受信機２０２は、プロセッサ２００の制御下でデータを送受信する。
【００５７】
バスアーキテクチャは、いずれ数の相互接続するバス及びブリッジを備える。具体的に、プロセッサ２００が代表となる１つまたは複数のプロセッサ及びメモリ２０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ２００は、バスアーキテクチャ及び通常の処理を管理し、メモリ２０１はプロセッサ２００が動作する際に利用するデータを記憶することができる。
【００５８】
本発明に係る実施例により開示された流れは、プロセッサ２００に適用することができるか、または、プロセッサ２００により実現される。実現の間、周波数ドメインにおける拡散伝送流れにおける各々ステップは、プロセッサ２００内のハードウェアの論理集積回路またはソフトウェア形式の指令により完成されることができる。プロセッサ３００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ２０１に位置し、プロセッサ２００はメモリ２０１に格納される情報を読み出して、そのハードウェアと協働して周波数ドメインにおける拡散伝送のステップを完成する。
【００５９】
具体的には、プロセッサ２００は、メモリ２０１内のプログラムを読み取り、以下を実行するように構成される。
【００６０】
無線ベアラ上でＰＤＣＰ複製送信を実行する必要があると決定し、ＤＵに前記無線ベアラ上で送信されるＰＤＣＰデータパケットを送信し、前記ＤＵにＰＤＣＰ複製送信を実行するよう指示する。
【００６１】
オプションとして、前記プロセッサ２００は、具体的に、前記無線ベアラがＳＲＢであれば、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示する。
【００６２】
または、前記無線ベアラがＤＲＢであれば、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示する。
【００６３】
オプションとして、前記プロセッサ２００は、さらに、
端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知する。
【００６４】
オプションとして、前記プロセッサ２００は、具体的に、ＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知する。
【００６５】
図３に示されるように、本発明の実施形態に係る第１のＤＵは、
バスアーキテクチャ及び通常の処理を管理するように構成されたプロセッサ３００と、プロセッサ３００が動作する際に利用するデータを記憶することができるように構成されたメモリ３０１と、プロセッサ３００の制御下でデータを送受信するように構成された送受信機３０２とを備える。
【００６６】
バスアーキテクチャは、いずれ数の相互接続するバス及びブリッジを備える。具体的に、プロセッサ３００が代表となる１つまたは複数のプロセッサ及びメモリ３０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ３００は、バスアーキテクチャ及び通常の処理を管理し、メモリ３０１はプロセッサ３００が動作する際に利用するデータを記憶することができる。
【００６７】
本発明に係る実施例により開示された流れは、プロセッサ３００に適用することができるか、または、プロセッサ３００により実現される。実現の間、周波数ドメインにおける拡散伝送流れにおける各々ステップは、プロセッサ３００内のハードウェアの論理集積回路またはソフトウェア形式の指令により完成されることができる。プロセッサ３００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ３０１に位置し、プロセッサ３００はメモリ３０１に格納される情報を読み出して、そのハードウェアと協働して周波数ドメインにおける拡散伝送のステップを完成する。
【００６８】
具体的には、プロセッサ３００は、メモリ３０１内のプログラムを読み取り、以下を実行するように構成される。
【００６９】
ＣＵによって送信された、無線ベアラ上で送信される必要があるＰＤＣＰデータパケット、およびＰＤＣＰ複製送信の実行を指示するための情報を受信し、ＰＤＣＰ複製送信のために、前記ＰＤＣＰデータパケットを前記無線ベアラに対応する複数のＲＬＣエンティティに送信する。
【００７０】
オプションとして、前記プロセッサ３００は、具体的に、前記無線ベアラがＳＲＢであれば、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定する。
【００７１】
または、前記無線ベアラがＤＲＢであれば、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定する。
【００７２】
オプションとして、前記プロセッサ３００は、さらに、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立する。
【００７３】
オプションとして、前記プロセッサ３００は、さらに、Ｆ１インターフェイスメッセージによって前記ＣＵの無線ベアラがＰＤＣＰ複製送信をサポートしているという通知を受信した後、前記無線ベアラがＤＲＢであれば、各論理チャネルに異なるＴＮＬ（トランスポートネットワークレイヤーアドレス）アドレスを割り当てる。
一実施形態では、上記図２および図３の上述のメモリは、外部記憶装置としてＣＵおよびＤＵの外部にあってもよい。
【００７４】
図４に示されるように、本発明の実施形態第２のＣＵは、
無線ベアラ上でＰＤＣＰ複製送信を実行する必要があると決定するように構成された決定モジュール４００と、
ＤＵに前記無線ベアラ上で送信されるＰＤＣＰデータパケットを送信し、前記ＤＵにＰＤＣＰ複製送信を実行するよう指示するように構成された通知モジュール４０１とを備える。
【００７５】
オプションとして、前記通知モジュール４０１は、具体的に、前記無線ベアラがＳＲＢであれば、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示する。
【００７６】
または、前記無線ベアラがＤＲＢであれば、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示する。
【００７７】
オプションとして、前記通知モジュール４０１は、さらに、端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知する。
【００７８】
オプションとして、前記通知モジュール４０１は、具体的に、ＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知する。
【００７９】
図５に示すように、本発明の実施形態第２のＤＵは、
ＣＵによって送信された、無線ベアラ上で送信される必要があるＰＤＣＰデータパケット、およびＰＤＣＰ複製送信の実行を指示するための情報を受信するように構成された受信モジュール５００と、
ＰＤＣＰ複製送信のために、前記ＰＤＣＰデータパケットを前記無線ベアラに対応する複数のＲＬＣエンティティに送信するように構成された処理モジュール５０１とを備える。
【００８０】
オプションとして、前記処理モジュール５０１は、具体的に、前記無線ベアラがＳＲＢであれば、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定する。
【００８１】
または、前記無線ベアラがＤＲＢであれば、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定する。
【００８２】
オプションとして、前記処理モジュール５０１は、さらに、Ｆ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立する。
【００８３】
オプションとして、前記処理モジュール５０１は、さらに、Ｆ１インターフェイスメッセージによって前記ＣＵの無線ベアラがＰＤＣＰ複製送信をサポートしているという通知を受信した後、前記無線ベアラがＤＲＢであれば、各論理チャネルに異なるＴＮＬアドレスを割り当てる。
【００８４】
本発明の実施形態は、コンピュータプログラムを記憶するコンピュータ可読記憶媒体をさらに提供し、当該プログラムは、プロセッサによって実行されると、上述のＣＵのステップまたはＤＵのステップを実施する。
【００８５】
同じ発明概念に基づいて、本発明の実施形態は、複製送信方法をさらに提供する。この方法に対応する装置は、本発明の実施形態における複製送信を実行するシステムのＣＵであり、この方法の問題を解決する原理は装置のそれと類似しているため、この方法の実施はデバイスの実施、およびその繰り返しの説明はここでは省略される。
【００８６】
図６に示されるように、におけるＣＵ側での複製送信の方法は以下のステップを備える
ステップ６００：ＣＵは、無線ベアラ上でＰＤＣＰ複製送信を実行する必要があると決定する。
ステップ６０１：前記ＣＵは、ＤＵに前記無線ベアラ上で送信されるＰＤＣＰデータパケットを送信し、前記ＤＵにＰＤＣＰ複製送信を実行するよう指示する。
【００８７】
オプションとして、前記ＣＵが、ＤＵに前記無線ベアラ上で送信されるＰＤＣＰデータパケットを送信し、前記ＤＵにＰＤＣＰ複製送信を実行するよう指示する場合、
【００８８】
前記無線ベアラがＳＲＢであれば、前記ＣＵは、Ｆ１制御プレーンによりＤＵに前記ＳＲＢ上で伝送されるＰＤＣＰデータパケットを送信し、対応するＦ１インターフェイスメッセージのＩＥで前記ＤＵがＰＤＣＰ複製送信を実行することを指示する。
【００８９】
または、前記無線ベアラがＤＲＢであれば、前記ＣＵは、Ｆ１ユーザープレーンによりＤＵに前記ＳＲＢ上で伝送されるＰＤＣＰデータパケットを送信し、対応するユーザープレーンデータパケットヘッダにおいて前記ＤＵがＰＤＣＰ複製送信を実行することを指示する。
【００９０】
オプションとして、前記ＣＵが、ＤＵに前記無線ベアラ上で送信されるＰＤＣＰデータパケットを送信し、前記ＤＵにＰＤＣＰ複製送信を実行するよう指示する前に、前記ＣＵは、端末の無線ベアラがＰＤＣＰ複製送信をサポートしていると決定した後、Ｆ１インターフェイスメッセージにより、前記無線ベアラがＰＤＣＰ複製送信をサポートすることを前記ＤＵに通知する。
【００９１】
オプションとして、前記ＣＵが、Ｆ１インターフェイスメッセージにより、前記無線ベアラがＰＤＣＰ複製送信をサポートすることを前記ＤＵに通知する場合、
【００９２】
前記ＣＵＵＥベアラ確立プロセスまたはＵＥベアラ更新プロセス中に、Ｆ１インターフェイスメッセージにより、前記無線ベアラがＰＤＣＰ複製送信をサポートすることを前記ＤＵに通知する。
【００９３】
同じ発明概念に基づいて、本発明の実施形態は、複製送信方法をさらに提供する。この方法に対応する装置は、本発明の実施形態における複製送信を実行するシステムのＤＵであり、この方法の問題を解決する原理は装置のそれと類似しているため、この方法の実施は装置の実施、およびその繰り返しの説明はここでは省略される。
【００９４】
図７に示すように、本発明の実施形態におけるＤＵ側での複製送信の方法は以下のステップを備える。
【００９５】
ステップ７００：ＤＵは、ＣＵによって送信された、無線ベアラ上で送信される必要があるＰＤＣＰデータパケット、およびＰＤＣＰ複製送信の実行を指示するための情報を受信する。
ステップ７０１：前記ＤＵは、ＰＤＣＰ複製送信のために、前記ＰＤＣＰデータパケットを前記無線ベアラに対応する複数のＲＬＣエンティティに送信する。
【００９６】
オプションとして、前記ＤＵが、ＣＵによって送信された、無線ベアラ上で送信される必要があるＰＤＣＰデータパケット、および前記ＤＵがＰＤＣＰ複製送信を実行することを指示するための情報を受信する場合、
前記無線ベアラがＳＲＢであれば、前記ＤＵは、Ｆ１制御プレーンにより前記ＣＵによって送信された、無線ベアラ上で送信される必要があるＰＤＣＰデータパケットを受信し、対応するＦ１インターフェイスメッセージのＩＥでＰＤＣＰ複製送信の実行を指示するための情報を決定し、または、
前記無線ベアラがＤＲＢであれば、前記ＤＵは、Ｆ１ユーザープレーンにより前記ＣＵによって送信された、無線ベアラ上で送信される必要があるＰＤＣＰデータパケットを受信し、対応するユーザープレーンデータパケットヘッダにおいてＰＤＣＰ複製送信の実行を指示するための情報を決定する。
【００９７】
オプションとして、前記ＤＵが、ＣＵによって送信された、無線ベアラ上で送信される必要があるＰＤＣＰデータパケット、および前記ＤＵがＰＤＣＰ複製送信を実行することを指示するための情報を受信する前、
前記ＤＵがＦ１インターフェイスメッセージによって前記ＣＵの無線ベアラがＰＤＣＰ複製送信をサポートしているという通知を受信した後、前記無線ベアラのためにＰＤＣＰ複製送信で使用される複数のＲＬＣエンティティおよび論理チャネルを確立する。
【００９８】
オプションとして、前記ＤＵがＦ１インターフェイスメッセージによって前記ＣＵの無線ベアラがＰＤＣＰ複製送信をサポートしているという通知を受信した後、前記無線ベアラがＤＲＢであれば、前記ＤＵは、各論理チャネルに異なるＴＮＬアドレスを割り当てる。
【００９９】
本発明のソリューションをさらに説明するために、いくつかの例を以下に示す。
第１の実施形態：
この例では、ＵＥは最初にネットワークにアクセスし、ＣＵはＵＥ ｃｏｎｔｅｘｔ ｓｅｔｕｐ（ベアラ確立）プロセスにより、あるＵＥのＳＲＢを構成して、ｄｕｐｌｉｃａｔｉｏｎ（複製）をサポートする。
【０１００】
ステップ１：ＵＥは、ＭＳＧ（メッセージ）１をＤＵに送信する。
ステップ２：ＤＵは、ＭＳＧ１を受信した後、ＭＳＧ２をＵＥに送信する。
ステップ３：ＵＥは、ＭＳＧ２を受信した後、ＭＳＧ３をＤＵに送信する。
ステップ４：ＤＵは、ＭＳＧ３を受信した後、Ｆ１ＡＰを介して、Ｌ１レイヤー、ＭＡＣレイヤー、およびＲＬＣレイヤーを通過するＭＳＧ３に対応するＰＤＣＰ ＰＤＵをＣＵに送信し、前記ＰＤＣＰ ＰＤＵでＳＲＢ１のＭＡＣ、ＲＬＣおよびL１の構成パラメータの一部または全部を搬送する。
ステップ５：ＣＵは、ＭＳＧ４を生成し、それをＤＵを介してＵＥに送信する。
ステップ６：ＵＥは、接続確立完了メッセージをネットワーク側に送信する。
ステップ７：ＵＥおよびネットワーク側は、セキュリティメカニズムを確立する。
ステップ８：ＣＵは、当該ＵＥがＳＲＢのＣＡベースのＰＤＣＰ複製をサポートできることを確認した後、ＵＥ ｃｏｎｔｅｘｔ ｓｅｔｕｐプロセスを通じてＤＵに通知する。
ステップ９：ＤＵは、２つのＲＬＣエンティティおよび対応するＳＲＢの論理チャネルを確立し、構成情報をＣＵに送信する。
ステップ１０：ＣＵは、ＲＲＣメッセージを組み立て、ＣＵのＰＤＣＰレイヤーを通過した後、それをＤＵに送信する。
ステップ１１：ＤＵは、ＲＬＣレイヤー、ＭＡＣレイヤー、およびＬ１レイヤーの処理後、ＲＲＣメッセージをＵＥに送信する。
【０１０１】
第２の実施形態
この例では、ＣＵは、ＵＥ ｃｏｎｔｅｘｔ ｓｅｔｕｐプロセスを通じて複製をサポートするようにＵＥのＤＲＢを構成する。
ステップ１：ＣＵは、コアネットワークからPＤＵ ｓｅｓｓｉｏｎ ｓｅｔｕｐまたはＤＲＢ ｓｅｔｕｐ要求を受信する。
ステップ２：ＣＵは、ＵＥ ｃｏｎｔｅｘｔ ｓｅｔｕｐおよび／またはｍｏｄｉｆｙプロセスを介してＤＲＢ関連情報をＤＵに提供する。このプロセスでは、ＣＵはＤＵに、ＤＲＢがＣＡベースのＰＤＣＰ複製送信をサポートしていることを通知する。
ステップ３：ＤＵは、新しく確立されたＤＲＢに対応するＲＬＣレイヤー／ＭＡＣレイヤー／ＰＨＹ（物理）レイヤーのいくつかまたはすべての構成パラメータを提供する必要がある。
具体的には、ＤＵは構成パラメータをＣＵに送信する。ＣＵはＲＲＣメッセージを組み立て、ＣＵのＰＤＣＰレイヤーを介してＤＵに送信する。そして、ＤＵは、ＲＬＣレイヤー、ＭＡＣレイヤー、およびL１レイヤーの一部またはすべてを処理した後、ＲＲＣメッセージをＵＥに送信する。
ＤＵは、ステップ２であるＤＲＢがＣＡベースのＰＤＣＰ複製送信をサポートする必要があることを知ると、ＤＲＢ用の２つのＲＬＣエンティティと論理チャネルを確立し、異なる論理チャネルに異なるＴＮＬアドレスを同時に提供する。
【０１０２】
第３の実施形態
この例では、ネットワーク側は、ＳＲＢのＣＡベースのＰＤＣＰ複製送信をサポートするようにＵＥを構成した。ＣＵは、特定の字時刻にＳＲＢで複製送信を実行することを決定する。
ステップ１：ネットワーク側は、ＳＲＢのＣＡベースのＰＤＣＰ複製送信をサポートするようにＵＥを構成する（構成プロセスは、上記の第１の実施形態を具体的に参照してもよい）。
ステップ２：ＲＲＣメッセージを送信するときに、ＣＵがＳＲＢ上で複製送信を実行することを決定すると、ＣＵは、ＤＵに送信される当該ＲＲＣメッセージに対応するＰＤＣＰ PＤＵのＦ１ＡＰに１つの指示を含ませる。当該指示は、ＤＵが当該データパケット複製送信を実行するように示す。
ステップ３：ＤＵは、当該指示に従って、受信したＰＤＣＰ PＤＵをＳＲＢに対応する２つのＲＬＣエンティティに送信し、ｄｕｐｌｉｃａｔｅｄ（複製）送信を実行する。
【０１０３】
第４の実施形態
この例では、ネットワーク側は、ＤＲＢのＣＡベースのＰＤＣＰ複製送信をサポートするようにＵＥを構成している。ＣＵは、特定の時刻にＤＲＢで複製送信を実行することを決定する。
ステップ１：ネットワーク側は、ＤＲＢのＣＡベースのＰＤＣＰ複製送信をサポートするようにＵＥを構成する（構成プロセスは、上記の第２の実施形態を具体的に参照してもよい）。
ステップ２：ＣＵは、ＤＲＢ上で複製送信を実行することを決定した後、ユーザプレーンを介してＤＵにＰＤＣＰ ＰＤＵを送信し、ユーザプレーンのパケットヘッダで複製のための支持を搬送。
ステップ３：ＤＵは、ユーザプレーンの解析された指示に従って、受信されたＰＤＣＰ ＰＤＵをＤＲＢに対応する２つのＲＬＣエンティティに送信し、複製された送信を実行する。
【０１０４】
本発明は、本開示の実施形態による方法、装置（システム）およびコンピュータプログラム製品のフローチャートおよび／またはブロック図で説明された。フローチャートおよび／またはブロック図のそれぞれのフローおよび／またはブロック、ならびにフローチャートおよび／またはブロック図のフローおよび／またはブロックの結合は、コンピュータプログラム命令で実施できることを理解されたい。これらのコンピュータープログラム命令は、汎用コンピューター、特定用途コンピューター、組み込みプロセッサー、または別のプログラム可能なデータ処理装置のプロセッサーにロードして、コンピューターまたは他のプロセッサーで実行される命令が実行されるようにマシンを生成できる。プログラム可能なデータ処理装置は、フローチャートのフローおよび/またはブロック図のブロックで指定された機能を実行するための手段を作成する。
【０１０５】
したがって、本開示の実施形態は、ハードウェアおよび／またはソフトウェア（したがって、アプリケーションは、ハードウェアおよび／またはソフトウェア（ファームウェア、常駐ソフトウェア、マイクロコードなどを含む）で実装することもできる）によって実装することができる。本開示の実施形態は、コンピュータ使用可能またはコンピュータ可読記憶媒体上のコンピュータプログラム製品によって実装することができ、コンピュータプログラム製品は、命令による使用のために媒体に実装されたコンピュータ使用可能またはコンピュータ可読プログラムコードを有する。本開示の文脈において、コンピュータ使用可能またはコンピュータ可読媒体は、使用されるプログラムを含む、格納する、通信する、送信する、または転送することができる任意の媒体であり得る。こうして、命令でシステム、装置、または設備の使用を実行するか、命令も加えてでシステム、装置、または設備の使用を実行する。
【０１０６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１０７】
１０  ＣＵ
２０  ＤＵ
２００  プロセッサ
２０１  メモリ
２０２  送受信機
３００  プロセッサ
３０１  メモリ
３０２  送受信機
４００  決定モジュール
４０１  通知モジュール
５００  受信モジュール
５０１  処理モジュール
【図１】
2020535756.tif 000003
【図２】
2020535756.tif 000004
【図３】
2020535756.tif 000005
【図４】
2020535756.tif 000006
【図５】
2020535756.tif 000007
【図６】
2020535756.tif 000008
【図７】
2020535756.tif 000009
【国際調査報告】
2020535756.tif 000010
2020535756.tif 000011
2020535756.tif 000012
2020535756.tif 000013